【手続補正書】
【提出日】平成18年4月20日(2006.4.20)
【手続補正１】
【補正対象書類名】明細書
【補正対象項目名】特許請求の範囲
【補正方法】変更
【補正の内容】
【特許請求の範囲】
【請求項１】  製品の表面の第１の部分を、前記製品の前記表面と同じ形状で接触する粘着性マスクを含むマスキング・システムで遮蔽するステップと、
前記マスキング・システムで前記第１の部分に生物学的エージェントの塗布を防止しながら、前記マスキング・システム内で、１ミリメートル未満の寸法を有するチャネルを介して、生物学的エージェントが、前記製品の前記表面の第２の部分に塗布されることを許容するステップと、
を含む方法。
【請求項２】  前記生物学的エージェントは流体であり、さらに、
前記流体から材料を硬化することを許容するステップと、
前記表面の第２の部分に塗布された前記製品を残す間に前記表面から前記マスクを除去するステップと、
を含む請求項１に記載の方法。
【請求項３】  マスクを置き換えるステップと、前記製品の前記表面の前記第１の部分の少なくとも一部に流体を供給して前記第１の部分に前記流体から材料を硬化するステップと、
前記製品の前記第１の部分に前記材料を接着することを許容するステップ含む、請求項２に記載の方法。
【請求項４】  生物学的エージェントの約１ｘ１０５個未満の分子が、前記製品の表面の各複数の別個の分離した領域で固定化され、前記個別の分離した領域に介入する前記物品の表面の領域を前記分子から本質的に自由にしながら、各前記分離した領域は前記製品の表面と同じ形状で接触してエラストマーマスクのチャンネルによって画定される、請求項１に記載の方法。
【請求項５】  前記マスク内のチャンネルを介して各前記個別の分離した領域へ前記分子を供給するステップをさらに含む、請求項４に記載の方法。
【請求項６】  前記マスクのチャンネルをもつレジスタにおいて前記製品の表面の露出された領域を作成する前記製品の表面に前記マスクの表面を遮蔽するステップと、前記チャンネルをもつレジスタにおける前記製品の表面の領域に前記分子を供給するステップとをさらに含む、請求項４に記載の方法。
【請求項７】  前記供給するステップは、前記マスクのチャンネルをもつレジスタにおける前記製品の表面の領域に前記分子を含む流体を供給するステップを含む、請求項６に記載された方法。
【請求項８】  約１ｘ１０４、約１ｘ１０３、約１ｘ１０２、または約１ｘ１０個未満の分子を各前記個別の分離された領域に供給するステップをさらに含む、請求項４に記載の方法。
【請求項９】  前記マスクは、第１の表面、対向する第２の表面、および前記マスクを通過してそして前記第１の表面と前記第２の表面とを接続する複数のチャンネルを含む柔軟なマスクである、請求項１に記載の方法。
【請求項１０】  前記遮蔽するステップは、前記マスクの柔軟な表面で前記製品表面の前記第１の部分の少なくとも一部を封止するステップを含む、請求項９に記載の方法。
【請求項１１】  前記マスクは柔軟な表面を有し、前記遮蔽するステップは、前記製品表面の第１の部分を前記マスクの前記柔軟な表面と接触するステップを含み、および／または前記製品表面は平坦ではない、請求項１０に記載の方法。
【請求項１２】  前記マスクの柔軟な表面を、前記製品表面と同じ形状で接触させることにより、前記表面の前記第１の部分を遮蔽するステップを含む、請求項１０に記載の方法。
【請求項１３】  前記マスクは全体的に柔軟である、請求項１０に記載の方法。
【請求項１４】  重合体表面を有するマスクで、前記製品表面の前記第１の部分を遮蔽するステップを含む、請求項１０に記載の方法。
【請求項１５】  前記生物学的エージェントまたは前記生物学的エージェントの製品が、前記製品の前記表面の前記第２の部分に残ることを許容しながら、前記製品の表面の前記第１の部分の少なくとも１部からマスクを除去するステップを含む、請求項１０に記載の方法。
【請求項１６】  前記マスクを前記製品の前記表面に対して置き換えるステップと、エージェントを前記製品の前記表面の前記第１の部分の少なくとも一部に塗布するステップとを含む、請求項１５に記載の方法。
【請求項１７】  前記置き換えるステップは、マスクを前記製品の前記表面に対して再方向付けするステップと、または前記製品の前記表面から前記マスクを除去しそして前記マスクで前記表面を遮蔽することなく、生物学的エージェントを前記表面の前記第１の部分の少なくとも一部に塗布するステップを含む、請求項１６に記載の方法。
【請求項１８】  マスクを前記製品の前記表面に対して置き換えるステップと、生物学的エージェントを前記製品の前記表面の前記第１の部分の少なくとも一部に塗布するステップとをさらに含む、請求項１０に記載の方法。
【請求項１９】  前記マスキング・システムは、チャネル長を画定する、約５００ミクロン以下の厚さを有する、請求項１０に記載の方法。
【請求項２０】  前記マスキング・システムのマスクは、その内部に複数のチャネルを含み、前記製品の前記表面の前記第２の遮蔽されていない部分は、前記マスクのチャネルをもつレジスタにおける複数の部分を含み、前記許容するステップは、前記エージェントを、前記複数のチャネルを介して、前記第２の遮蔽されていない部分を画定する表面の部分に塗布するステップを含む、請求項１０に記載の方法。
【請求項２１】  前記マスクは少なくとも１００個のチャネルを含み、前記チャネルの少なくとも５０パーセントは、約２００ミクロン未満の断面寸法を有する、請求項２０に記載の方法。
【請求項２２】  前記チャネルの少なくとも約９８パーセントは、約２００ミクロン未満の断面寸法を有する、請求項２１に記載の方法。
【請求項２３】  前記チャネルの少なくとも約９８パーセントは、約２００ミクロン未満の最大断面寸法を有する、請求項２２に記載の方法。
【請求項２４】  前記マスクは柔軟な重合体製品である、請求項２０に記載の方法。
【請求項２５】  前記マスクは、少なくとも約５００個の、基本的にまっすぐな、円形断面のチャネルであって、各チャネルの断面は約２００ミクロン未満であり、各チャネルは隣接するチャネルから約４００ミクロン未満間隔が空いている、請求項２０に記載の方法。
【請求項２６】  前記複数のチャネルは、グリッド・パターンで配置されている、請求項２５に記載の方法。
【請求項２７】  前記チャネルは、約５対１以下の長さ対直径の比を有する、請求項２５に記載の方法。
【請求項２８】  前記チャネルは、約２対１以下の長さ対直径比を有する、請求項２７に記載の方法。
【請求項２９】  前記マスクは少なくとも約１０００チャネルを含み、断面のそれぞれは約１００ミクロン未満であり、各チャネルは隣接するチャネルから約２００ミクロン以下の間隔を空けられている、請求項２５に記載の方法。
【請求項３０】  前記チャネルのそれぞれは、約５０ミクロン以下の断面寸法を有し、各チャネルは隣接するチャネルから約１００ミクロン以下の間隔を空けられている、請求項２９に記載の方法。
【請求項３１】  前記チャネルのそれぞれは、約２５ミクロン以下の断面寸法を有し、各チャネルは隣接するチャネルから約５０ミクロン未満の間隔を空けられている、請求項３０に記載の方法。
【請求項３２】  各チャンネルは、約５ミクロン、３ミクロン、または１．５ミクロン以下の断面寸法を有する、請求項３１に記載の方法。
【請求項３３】  生物学的エージェントは有機エレクトロルミネセンス材料またはその前駆物質である、請求項１０に記載の方法。
【請求項３４】  有機エレクトロルミネセンス材料は、前記表面の前記第２の部分で前記生物学的エージェントから形成することを許容するステップと、前記有機エレクトロルミネセンス材料と電気回路との間で電気的通信を確立するステップとを含む、請求項３３に記載の方法。
【請求項３５】  前記エージェントは、流体、または流体に含まれている、または化学蒸着法の製品、または気相蒸着の製品である、請求項３４に記載の方法。
【請求項３６】  前記エージェントは、電子ビーム蒸着、蒸着、またはスパッタリングの製品；電気化学蒸着の製品；または電気の無い蒸着の製品である、請求項３５に記載の方法。
【請求項３７】  前記生物学的エージェントは、前記チャネルを介して流体前駆物質から塗布される、請求項１０に記載の方法。
【請求項３８】  前記流体前駆物質は、無機化合物の溶液または懸濁を含み、前記許容するステップは、前記無機化合物が前記製品表面の前記第２の部分で硬化することを許容するステップを含む、請求項３７に記載の方法。
【請求項３９】  前記流体前駆物質は、流体キャリアにおける粒子の懸濁を含み、前記許容するステップは、前記流体キャリアが、分散することにより、前記基板表面の前記第１の領域で前記粒子を付着することを許容することを含む、請求項３７に記載の方法。
【請求項４０】  前記流体前駆物質は、流体キャリアにおいて化学的に活性なエージェントを含み、前記許容するステップは、前記流体キャリアが、分散することにより、前記基板表面の前記第１の領域に前記化学的に活性なエージェントを付着することを許容することを含む、請求項３７に記載の方法。
【請求項４１】  前記化学的に活性なエージェントは、前重合体種であり、前記許容するステップは、前重合体種から重合体製品を形成することを含む、請求項４０に記載の方法。
【請求項４２】  前記化学的に活性なエージェントは、材料の付着を促進することができるエージェントである、請求項４０に記載の方法。
【請求項４３】  前記生物学的エージェントは食刻剤であり、前記方法は、前記製品の前記表面の前記第２の部分が食刻されることを許容するステップを含む、請求項１０または３７に記載の方法。
【請求項４４】  前記生物学的エージェントを前記製品表面の前記第２の部分に接着したままにしながら、前記マスキング・システムのマスクの前記柔軟な表面を、前記製品表面の前記第１の部分から除去するステップを含む、請求項１０に記載の方法。
【請求項４５】  製品の表面の第２の部分に近接するマスクの部分の質を低下させることなく、前記マスクを前記表面と同じ形状で接触した配置することにより、前記製品の前記表面の前記第２の部分を前記マスクによって遮蔽されないままにしながら、１ミリメートル未満の寸法を有する、前記製品の前記表面の第１の部分を再使用可能なマスクで遮蔽するステップと、
生物学的エージェントを前記製品の前記表面の前記第２の部分に塗布するステップと、
を含む方法。
【請求項４６】  マスクの表面を製品の平坦でない表面と同じ形状で接触させることにより、前記製品の前記平坦でない表面の第１の部分を遮蔽するステップと、
前記マスクの前記第１の部分への生物学的エージェントの塗布を防止しながら、前記生物学的エージェントが、１ミリメートル未満の寸法を有する前記マスク内のチャネルを通過して、前記製品の前記表面の第２の部分に塗布されることを許容するステップと、
を含む方法。
【請求項４７】  マスキング・システムの表面を、製品の表面と同じ形状で接触させることにより、前記製品の前記表面の第１の部分を前記マスキング・システムで遮蔽するステップと、
前記製品の前記表面の前記第１の部分への生物学的エージェントの塗布を、前記マスキング・システムで防止しながら、前記生物学的エージェントが、前記製品の前記表面の第２の遮蔽されていない部分に塗布されることを許容するステップと、
前記マスキング・システムを除去するステップと、
前記製品の前記表面の前記第１の部分の少なくとも一部に生物学的エージェントを塗布するステップと、
を含む方法。
【請求項４８】  前記遮蔽するステップは、前記製品の前記表面の前記第１の部分を、マスクの一部と接触させるステップを含み、前記マスクの除去に続いて、前記マスクで前記製品の前記表面を遮蔽することなく、前記エージェントが前記製品の表面の第１の部分に塗布される、請求項４７に記載の方法。
【請求項４９】  前記マスクの除去に続きそして前記製品の表面の前記第１の部分に少なくとも一部に生物学的エージェントを塗布する前に、前記マスクは再方向付けして再封止される、請求項４７に記載の方法。
【請求項５０】  前記マスキング・システムは、前記生物学的エージェントと第１のマスクとの間に配置された第２のマスクを含み、前記第１のマスクは前記第２のマスクと前記製品の前記表面との間に配置されている、請求項４７に記載の方法。
【請求項５１】  前記第１のマスクは前記製品の前記表面に対して封止し、前記第２のマスクは前記第１のマスクに対して封止する、請求項５０に記載の方法。
【請求項５２】  前記第１および第２のマスクは、柔軟な重合体製品である、請求項５１に記載の方法。
【請求項５３】  前記第１および第２のマスクは、エラストマ状である、請求項５２に記載の方法。
【請求項５４】  前記生物学的エージェントを前記表面の前記第２の部分に塗布するステップと、前記第１のマスクが前記表面の前記第１の部分の他の部分を遮蔽することを許容しながら、前記第１のマスクから前記第２のマスクを除去することにより前記表面の前記第１の部分の少なくとも一部を露出させるステップと、前記表面の前記第１の部分の他の部分を前記第１のマスクで遮蔽しながら、生物学的エージェントを前記表面の前記第１の部分の少なくとも１部に塗布するステップとを含む、請求項５３に記載の方法。
【請求項５５】  第１の生物学的エージェントを前記表面の前記第２の部分に塗布するステップと、前記第１のマスクが前記表面の前記第１の部分の他の部分を遮蔽することを許容しながら、前記第２のマスクを前記第１のマスクから除去することにより前記表面の前記第１の部分の少なくとも一部を露出させるステップと、前記表面の前記第１の部分の他の部分を前記第１のマスクで遮蔽しながら、第２の異なった生物学的エージェントを前記表面の前記第１の部分の少なくとも１部に塗布するステップとを含む、請求項５３に記載の方法。
【請求項５６】  第１の生物学的エージェントを前記表面の前記第２の部分に塗布すすステップと、前記第１のマスクが前記表面の前記第１の部分の他の部分を遮蔽することを許容しながら、前記第２のマスクを前記第１のマスクから除去することにより前記表面の前記第１の部分の少なくとも一部を露出させるステップと、前記表面の前記第１の部分の他の部分を前記第１のマスクで遮蔽しながら、第２の異なった生物学的エージェントを前記表面の前記第１の部分の少なくとも１部に塗布するステップとを含む、請求項４７に記載の方法。
【請求項５７】  前記第１および第２の生物学的エージェントのそれぞれは、異なった有機エレクトロルミネセンス材料の前駆物質である、請求項５６に記載の方法。
【請求項５８】  製品の表面の第２の部分がマスクによって遮蔽されないままにしながら、１ミリメートル未満の寸法を有する、、前記製品の前記表面と同じ形状で前記マスクの表面を接触させることにより、前記製品の前記表面の第１の部分を遮蔽するステップと、
生物学的エージェントを前記表面の前記第２の部分に塗布するステップと、
前記マスクを品質低下の条件下に露出することなく、前記マスクを前記表面から除去することにより、前記表面の前記第２の部分および前記エージェントの無い前記表面の前記第１の部分に前記生物学的エージェントを残すステップと、
を含む方法。
【請求項５９】  第１の表面と、対向する第２の表面と、製品を通過しそして前記第１の表面と前記第２の表面を接続する複数のチャネルを含み、前記複数のチャネルの少なくとも１つは、７ミリメートル未満の断面寸法を有し、マスキングシステムを含むエラストマ製品。
【請求項６０】  前記第１の表面または前記製品はエラストマ状である、請求項５９に記載の製品。
【請求項６１】  少なくとも約１００個のチャネルを含む、請求項５９に記載の製品。
【請求項６２】  前記チャネルの少なくとも約５０％は、約２００ミクロン未満の断面寸法を有する、請求項６１に記載の製品。
【請求項６３】  前記チャネルの少なくとも約９８％は、約２００ミクロン未満の断面寸法を有する、請求項６２に記載の製品。
【請求項６４】  前記マスキングシステムは少なくとも約５００個の、基本的にまっすぐで円形断面のチャネルを含み、であり、少なくとも約９８％のチャネルは約２００ミクロン未満の断面を有し、各チャンネルは隣接するチャンネルから約４００ミクロン以下の間隔を空けられている、請求項６１に記載の製品。
【請求項６５】  前記チャネルは約５対１以下の長さ対直径の比を有する、請求項６４に記載の製品。
【請求項６６】  前記チャネルは約２対１以下の長さ対直径の比を有する、請求項６５に記載の製品。
【請求項６７】  前記マスキングシステムは少なくとも約１０００個のチャネルを含み、各断面は約１００ミクロン未満であって、各チャネルは隣接するチャネルから約２００ミクロン以下の間隔を空けられている、請求項６４に記載の製品。
【請求項６８】  各前記チャネルは約５０ミクロン以下の断面寸法を有し、各チャネルは隣接するチャネルから約１００ミクロン以下の間隔を空けられている、請求項６７に記載の製品
【請求項６９】  各前記チャネルは約２５ミクロン以下の断面寸法を有し、各チャネルは隣接するチャネルから約５０ミクロン未満の間隔を空けられている、請求項６８に記載の製品。
【請求項７０】  各チャネルは約１０ミクロン以下、５ミクロン以下、３ミクロン以下、または１．５ミクロン以下の断面寸法を有する、請求項６７に記載の製品。